(57)【要約】【課題】吸込グリルの昇降制御を容易に行えるとともに、メンテナンスも容易とする。【解決手段】化粧パネルに４本の吊紐を介して吸込グリルを支持し、４本の吊紐を繰り出し、或いは巻き戻すことにより、吸込グリルを昇降させる機構を備えた天井埋込型空気調和機において、吊紐を巻いたボビンを収納した昇降ユニットと、ボビンあるいはボビンの回転に同期して駆動される部材に設けられたブラシ９５と、ボビンの回転に伴って、ブラシ９５によりそれぞれ独立に導通／非導通状態とされる複数の電極９３Ａ、９３Ｂ、９３Ｃが設けられた電極パターン９３と、を備える。【選択図】      図８
2004150714.tif 000002
【特許請求の範囲】
【請求項１】
化粧パネルに４本の吊紐を介して吸込グリルを支持し、４本の吊紐を繰り出し、或いは巻き戻すことにより、吸込グリルを昇降させる機構を備えた天井埋込型空気調和機において、
前記吊紐を巻いたボビンを収納した昇降ユニットと、
前記ボビンあるいは前記ボビンの回転に同期して駆動される部材に設けられた可動電極部と、
前記ボビンの回転に伴って、前記可動電極部によりそれぞれ独立に導通／非導通状態とされる複数の電極が設けられた固定電極部と、
を備えたことを特徴とする天井埋込型空気調和機。
【請求項２】
請求項１記載の天井埋込型空気調和機において、
前記可動電極部は、前記昇降ユニット内、かつ、前記可動電極部に対して摺動可能な位置に配置されていることを特徴とする天井埋込型空気調和機。
【請求項３】
請求項１または請求項２記載の天井埋込型空気調和機において、
吸込グリルの一辺を４本の吊紐の内、２本の吊紐で支持し、吸込グリルの他辺を残りの２本の吊紐で支持し、一辺を支持する２本の吊紐を巻いたボビン同士を第一軸上に重ねて配置し、他辺を支持する残りの２本の吊紐を巻いたボビン同士を第二軸上に重ねて配置したことを特徴とする天井埋込型空気調和機。
【請求項４】
請求項３記載の天井埋込型空気調和機において、
軸の軸上に配置され、モータ駆動されることにより、ボビンを正逆回転させるギアを有し、
前記可動電極部は、前記ギアに設けられていることを特徴とする天井埋込型空気調和機。
【請求項５】
請求項１ないし請求項４のいずれかに記載の天井埋込型空気調和機において、
前記固定電極部に電源を供給するとともに、前記固定電極部を介して入力される前記ボビンの回転状態検出信号に基づいて、前記吸込グリルの昇降状態を判別する昇降状態判別部を備えたことを特徴とする天井埋込型空気調和機。
【発明の詳細な説明】
【０００１】
【発明の属する技術分野】
本発明は、天井に設置されるユニット本体を有する天井埋込型空気調和機の吸込グリルの昇降制御技術に関する。
【０００２】
【従来の技術】
天井開口に取り付けられる化粧パネルに吸込グリルを設け、この吸込グリルにフィルタを設けた天井埋込型空気調和機は知られている。この吸込グリルに設けられたフィルタは、定期的に外されて、これを掃除することにより空気調和機の性能が十分に発揮される。
【０００３】
化粧パネルに収納された吸込グリルを天井から作業場所に降ろすために、化粧パネルに吸込グリルを昇降させる昇降機構を設けた天井埋込型空気調和機が提案されている（例えば、特許文献１参照）。この昇降機構は化粧パネルに設けられた昇降用モータの駆動により正逆回転するドラムに、一端が吸込グリルに取り付けられた吊紐の他端が巻回され、ドラムの回転によって吸込グリルを昇降させるようにしたものである。
【０００４】
【特許文献１】
特開２０００−２２０８６３号公報
【０００５】
【発明が解決しようとする課題】
上記従来の天井埋込型空気調和機においては、正逆回転する複数のドラムをシャフトが貫通し、このシャフトを化粧パネルの一辺に掛け渡すに際し、シャフトの回転力を伝達し、あるいは伝達を解除するためのクラッチ機構を設ける必要があった。
【０００６】
しかしながらクラッチ機構は、シャフトの負荷が所定値よりも大きくなるとシャフトの回転力の伝達を解除するだけであり、確実に化粧パネルの昇降状態の制御を行える訳ではなかった。例えば、何らかの理由により吊紐が絡むなどしてシャフトに負荷がかかった場合でも、クラッチ機構が動作してしまうという不具合が起こりえる。
【０００７】
そこで、本発明の目的は、吸込グリルの昇降制御を容易に行えるとともに、メンテナンスも容易な天井埋込型空気調和機を提供することにある。
【０００８】
【課題を解決するための手段】
上記課題を解決するため、化粧パネルに４本の吊紐を介して吸込グリルを支持し、４本の吊紐を繰り出し、或いは巻き戻すことにより、吸込グリルを昇降させる機構を備えた天井埋込型空気調和機は、前記吊紐を巻いたボビンを収納した昇降ユニットと、前記ボビンあるいは前記ボビンの回転に同期して駆動される部材に設けられた可動電極部と、前記ボビンの回転に伴って、前記可動電極部によりそれぞれ独立に導通／非導通状態とされる複数の電極が設けられた固定電極部と、を備えたことを特徴としている。
【０００９】
上記構成によれば、可動電極部は、昇降ユニットに収納されたボビンあるいはボビンの回転に同期して駆動され、ボビンの回転に伴って固定電極部の複数の電極をそれぞれ独立に導通／非導通状態とする。
【００１０】
この場合において、前記可動電極部は、前記昇降ユニット内、かつ、前記可動電極部に対して摺動可能な位置に配置されているようにしてもよい。
【００１１】
また、吸込グリルの一辺を４本の吊紐の内、２本の吊紐で支持し、吸込グリルの他辺を残りの２本の吊紐で支持し、一辺を支持する２本の吊紐を巻いたボビン同士を第一軸上に重ねて配置し、他辺を支持する残りの２本の吊紐を巻いたボビン同士を第二軸上に重ねて配置するようにしてもよい。
【００１２】
さらに、軸の軸上に配置され、モータ駆動されることにより、ボビンを正逆回転させるギアを有し、前記可動電極部は、前記ギアに設けられているようにしてもよい。
【００１３】
さらにまた、前記固定電極部に電源を供給するとともに、前記固定電極部を介して入力される前記ボビンの回転状態検出信号に基づいて、前記吸込グリルの昇降状態を判別する昇降状態判別部を備えるようにしてもよい。
【００１４】
【発明の実施の形態】
以下、本発明の一実施形態を図面に基づいて説明する。
【００１５】
図１は、一般的な天井埋込型空気調和機の縦断面図であり、この図１において、１は天井埋込型空気調和機を示している。この天井埋込型空気調和機１は、天井内部に収納される板金製のユニット本体２と、中央に吸込口３を外周部の四辺に吹出口４を有し、天井穴５を塞ぐように天井面６に設けられる化粧パネル７と、中央に吸込口３を有する吸込グリル８とにより構成されている。
【００１６】
１１はターボファン１２と天板１３に取り付けられたファン用モータ１４からなる送風機、１５は吸込口３からの室内空気をターボファン１２に案内するノズル口、１６は内側立上がり部１７と外側立上がり部１８とを有し、角張った環形状に発泡スチロールで形成されたドレンパン、２１はターボファン１２の吐出側にこのファンを取り囲むように環状に配置されたプレートフィン型の熱交換器である。そして、２２はユニット本体の周面に巻付けられた断熱材、２３は前記熱交換器で熱交換された空気を吹出口４へ導く導風部、２４はユニット本体２を吊具で天井梁に吊下げるための吊下げボルト、２５は吸込グリル８下流側に取付けられたフィルタである。
【００１７】
この吸込グリル８は、図２に示すように、４本の吊紐３１〜３４を介して化粧パネル７に支持され、吊紐を繰り出し、或いは巻き戻すことにより、所定の範囲で昇降し、吸込グリル８を下げた位置で、この吸込グリル８に載せられたフィルタ２５を取り外し可能に構成される。
【００１８】
４本の吊紐３１〜３４を繰り出し、或いは巻き戻す昇降機構は、単一の筐体（昇降ユニット）４１内に収納されている。この昇降機構は、図３Ａ，Ｂに示すように、第一機構４２と、第二機構４３とからなる。第一機構４２は、筐体４１内の一方の側４１Ａに収納され、これには吸込グリル８の一辺８Ａ（図２）を支持する２本の吊紐３１，３２が連結される。また、第二機構４３は、筐体４１内の他方４１Ｂの側に収納され、これには吸込グリル８の他辺８Ｂ（図２）を支持する残りの２本の吊紐３３，３４が連結される。筐体４１の中間部４１Ｃには、昇降機構を制御する制御基板４４が収納されている。
【００１９】
単一の筐体４１は、図３Ｂに示すように、箱形の本体４５と蓋体４６とからなり、蓋体４６は、これに一体に形成された側方に開く爪１４６を介して本体４５に固定される。箱形の本体４５は一つで、蓋体４６は第一機構４２を覆う第一蓋体４６Ａと、第二機構４３を覆う第二蓋体４６Ｂと、制御基板４４を覆う第三蓋体４６Ｃとの三つに分割される。
【００２０】
第一、第二蓋体４６Ａ、４６Ｂは、各３本のねじ４９を介して、本体４５に固定される。この場合、各３本のねじ４９は、本体４５を貫通して取り付け板４７に達し、この取り付け板４７にねじ固定される。また、第三蓋体４６Ｃは、その一辺が一対のヒンジ５０を介して本体４５に連結され、他片が１本のねじ５１によって本体４５に固定される。
【００２１】
この筐体４１は、化粧パネル７の下面に、板金製の取り付け板４７（図２）を介して取り付けられている。図４Ａ、図４Ｂは、取り付け板４７を示す。この取り付け板４７には、合計６ヶ所に受け孔４７Ａが形成され、本体４５の底部には、図３Ｂに示すように、各受け孔４７Ａに係合する爪片４５Ａが形成され、爪片４５Ａを受け孔４７Ａに挿入して、筐体４１を、図３Ｂの矢印Ｘ方向にスライドさせると、爪片４５Ａが受け孔４７Ａに係合して、筐体４１が、落下しない程度に取り付け板４７に仮固定される。
【００２２】
この取り付け板４７には、当該取り付け板４７に筐体４１が取り付けられた場合、蓋体４６の爪１４６が側方に開かないように、爪１４６を保持する保持部４７Ｂが折り曲げ形成されている。
【００２３】
蓋体４６は、その爪１４６が側方に開かれたとき、爪１４６と本体４５との係合が解除されて、本体４５から取り外される構成であり、取り付け板４７に筐体４１が取り付けられた場合、爪１４６が保持部４７Ｂに保持されて側方に開かないため、蓋体４６を取り外すことはできない。
【００２４】
この空気調和機は、天井に据え付けられると、筐体４１の蓋体４６が下方を向く。メンテナンス時の筐体４１の取り外し手順としては、まず、６本のねじ４９を外す。この段階では、取り付け板４７の保持部４７Ｂが、爪１４６を保持するため、蓋体４６が開くことはない。ついで、筐体４１を矢印Ｘと反対方向にスライドさせる。これにより、爪片４５Ａと受け孔４７Ａとの係合が解除されて、取り付け板４７から筐体４１が取り外される。この筐体４１を取り外した後、蓋体４６の爪１４６を側方に開くと、爪１４６と本体４５の係合が解除され、蓋体４６が開かれ、その内側の昇降機構のメンテナンスが可能になる。第三蓋体４６Ｃは、その一辺が一対のヒンジ５０を介して本体４５に連結され、他片が１本のねじ５１によって本体４５に固定されている。従って、この１本のねじ５１を外すことによって、第三蓋体４６Ｃが開放されて、その内側の制御基板４４のメンテナンスが可能になる。
【００２５】
つぎに、昇降機構について説明する。
【００２６】
第一機構４２と、第二機構４３とは線対称構造である。第一機構４２は、図５及び図６に示すように、モータ６１を備える。このモータ６１の出力軸６１Ａにはピニオンギア６２が固定され、ピニオンギア６２には傘歯ギア６３が噛み合い、この傘歯ギア６３の軸上の伝動ギア６３Ａには、中間ギア６４の大ギア６４Ａが噛み合う。この中間ギア６４の軸上の小ギア６４Ｂには、ギア６５が噛み合い、このギア６５の第一軸６５Ａ上には一対のボビン７１，７２が重ねて配置される。ボビン７１，７２には、吸込グリル８の一辺８Ａ（図２）を支持する２本の吊紐３１，３２が巻かれる。
【００２７】
第二機構４３は、第一機構４２と同様構成であるため、説明を省略するが、その一対のボビン７３，７４（図３Ａ）には、吸込グリル８の他辺８Ｂを支持する残りの２本の吊紐３３，３４が巻かれる。
【００２８】
第一機構４２において、一対のボビン７１，７２に巻かれた２本の吊紐３１，３２は、一対のローラ７５，７６に案内されて、筐体（昇降ユニット）４１の外に導出される。ボビン７１，７２側のローラ７５は、吊紐３１，３２の接触するローラ部７５Ａが円柱状であり、ボビン７１，７２から離れた側のローラ７６は、吊紐３１，３２の接触するローラ部７６ＡがＶ溝状である。これら吊紐３１，３２は、ローラ７６のＶ溝状のローラ部７６Ａで位置を規制されながら、しかもローラ７５の円柱状のローラ部７５Ａ上を、図６中で上下動を繰り返しながら、夫々のボビン７１，７２に対し規則正しく巻かれる。
【００２９】
上記構成において、傘歯ギア６３の軸、中間ギア６４の軸、第一軸６５Ａ、並びに一対のローラ７５，７６の各軸は、互いに平行に、筐体４１の本体４５と蓋体４６との間に保持されている。各軸の平行度を維持するため、本体４５及び蓋体４６の各内面には、傘歯ギア６３の軸、中間ギア６４の軸、第一軸６５Ａ、並びに一対のローラ７５，７６の各軸を支持するための、それぞれ軸穴を有したボス７７が一体形成され、各ボス７７によって、各軸が両持ち支持されている。そして、上述の６本のねじ４９は、各軸の平行度を維持するために、特に軸の密集する領域に設けられている。
【００３０】
第一機構４２において、吊紐３１，３２を巻いたボビン７１，７２同士は、筐体（昇降ユニット）４１の本体（天板）４５と蓋体（底板）４６間に支持された、略鉛直方向に延びる第一軸６５Ａの軸上に重ねて配置され、残りの２本の吊紐３３，３４を巻いたボビン７３，７４同士は、第二機構４３において、吊紐３３，３４を巻いたボビン７３，７４を支持する、略鉛直方向に延びる第二軸（図示せず）上に重ねて配置されている。
【００３１】
一対のローラ７５，７６間には、吊紐切れ検知手段８１が設けられる。図７は、吊紐切れ検知手段８１の模式図である。この検知手段８１は、図７に示すように、矢印Ａの方向に付勢された一対の板体８２，８３を備え、各板体８２，８３には、吊紐３１，３２を通すための、互いに大きさの異なる通し孔８２Ａ，８２Ｂ，８３Ａ，８３Ｂが形成されている。
【００３２】
吊紐３１，３２がぴんと張られている場合、各吊紐３１，３２が、小さい方の通し孔８２Ａ，８３Ａの孔壁に接触し、板体８２，８３が、吊紐の押し力により図中矢印Ｂの方向に押され、これに押されてリミットスイッチ８４，８５が作動し、吊紐３１，３２のぴんと張られた状態が検出される。
【００３３】
これに対し、一方の吊紐３１が切れた場合、この吊紐３１による拘束が解かれて、板体８２が、吊紐の押し力に抗して矢印Ａの方向に付勢され、リミットスイッチ８４が外れる。これにより、吊紐３１の吊紐切れが検出される。この場合、板体８２が、矢印Ａの方向に付勢されても、板体８２の通し孔８２Ｂが大きいため、その孔壁に吊紐３２が接触することはなく、この吊紐３２のぴんと張られた状態は、リミットスイッチ８５によって継続して検出される。なお、他方の吊紐３２が切れた場合も、同様にして、吊紐切れが検出される。
【００３４】
上記構成では、モータ６１が駆動されると、傘歯ギア６３、中間ギア６４を介して、第一軸６５Ａの軸上に配置されたギア６５、並びにボビン７１，７２が回転駆動される。モータ６１が正逆回転されると、ボビン７１，７２が正逆回転され、吊紐３１，３２が繰り出し／巻き戻しされる。
【００３５】
吊紐の繰り出し量／巻き戻し量の制御は、ボビン７１，７２の回転量を検出し、この回転量を制御することによって行われる。具体的には、図５のロータリーエンコーダ９１が使用される。
【００３６】
図８は、ロータリーエンコーダの固定電極部（電極パターン）および可動電極部（ブラシ）の外観図である。
【００３７】
図８に示すように、ロータリーエンコーダ９１は、大別すると電極パターン９３およびブラシ９５を備えている。
【００３８】
電極パターン９３は、第１プラス電極９３Ａと、アース電極（コモン電極）９３Ｂと、第２プラス電極９３Ｃとが略同心円状に、ブラシ９５に対向する本体４５の内面に配置される。
【００３９】
一方、ブラシ９５は、ギア６５に取り付けられ、ギア６５の回転に伴って電極パターン９３の各電極９３Ａ〜９３Ｃ上を連続的あるいは間欠的に接触しつつ移動する。すなわち、ブラシ９５は、電極パターン９３の各電極９３Ａ〜９３Ｃ上を摺動することとなる。
【００４０】
図９はロータリーエンコーダ９１の等価回路図である。
【００４１】
ロータリーエンコーダ９１は、第１プラス電極９３Ａに正極側が接続された第１直流電源１０１Ａと、第１直流電源１０１Ａの負極側に接続された第１電圧検出用抵抗１０２Ａと、第２プラス電極９３Ｃに正極側が接続された第２直流電源１０１Ｂと、第２直流電源１０１Ｂの負極側に接続された第２電圧検出用抵抗１０２Ｂと、を備えている。
【００４２】
ここで、第１直流電源１０１Ａと第１電圧検出用抵抗１０２Ａとの接続点は、制御基板４４の制御回路４４Ａに接続されるＡ相出力端子ＴＡとして機能し、第２直流電源と第２電圧検出用抵抗との接続点は制御基板４４の制御回路４４Ａに接続されるＢ相出力端子ＴＢとして機能している。また、ブラシ９５の先端９５Ａはスイッチ１０３Ａの可動接点として機能し、先端９５Ｂはアース電極９３Ｂとの常閉接点として機能し、先端９５Ｃはスイッチ１０３Ｂの可動接点として機能している。
【００４３】
次にロータリエンコーダ９１の出力とボビン７１，７２の回転動作の関係について説明する。
【００４４】
ここで、ボビン７１，７２を図８の矢印Ｘ方向に回転させる場合が、吊紐巻き戻し方向（吸込グリル８上昇方向）への回転の場合であるとして説明する。
また、このとき制御基板４４の制御回路４４Ａは、図１１に示す動作説明図に基づき、図示しない昇降制御用カウンタのカウント値をカウントダウンさせるものとする。
【００４５】
まず、吸込グリル８の上昇時の動作を説明する。
【００４６】
ギア６５の回転に伴って、例えば、図８中で、ブラシ９５が摺動し、ブラシ９５の先端９５Ａ〜９５Ｃの状態が回転位置▲１▼になる。
【００４７】
これにより、第２プラス電極９３Ｃとアース電極９３Ｂとは、非導通状態となり、等価的にスイッチ１０３Ｂが開状態（オフ状態）となる。この結果、図１０の時刻ｔ１（＝回転位置▲１▼）に示すように、Ｂ相出力端子ＴＢの信号レベルは、“Ｈ”レベルから“Ｌ”レベルへと遷移する。
【００４８】
さらにギア６５が回転し、図１０の時刻ｔ２（＝回転位置▲２▼）の状態になると、第１プラス電極９３Ａとアース電極９３Ｂとは、非導通状態となり、等価的にスイッチ１０３Ａが開状態（オフ状態）となる。この結果、Ａ相出力端子ＴＡの信号レベルは、“Ｈ”レベルから“Ｌ”レベルへと遷移する。
【００４９】
このとき、制御基板４４の制御回路４４Ａは、図１１に示した動作状態に対応づけ、Ｂ相出力端子ＴＢの信号レベルが“Ｌ”レベルの状態で、Ａ相出力端子ＴＡの信号レベルが“Ｈ”レベルから“Ｌ”レベルへと遷移（信号立下がり）したので、吸込グリル８が上昇方向に駆動されていると判別する。そして、制御回路４４Ａは図示しない昇降制御用カウンタのカウント値をカウントダウンさせることとなる。
【００５０】
続いてギア６５が回転し、図１０の時刻ｔ３（＝回転位置▲３▼）の状態になると、第２プラス電極９３Ｃとアース電極９３Ｂとは、導通状態となり、等価的にスイッチ１０３Ｃが閉状態（オン状態）となる。この結果、Ｂ相出力端子ＴＢの信号レベルは、“Ｌ”レベルから“Ｈ”レベルへと遷移する。
【００５１】
さらにギア６５が回転し、図１０の時刻ｔ４（＝回転位置▲４▼）の状態になると、第１プラス電極９３Ａとアース電極９３Ｂとは、導通状態となり、等価的にスイッチ１０３Ａが閉状態（オン状態）となる。この結果、Ａ相出力端子ＴＡの信号レベルは、“Ｌ”レベルから“Ｈ”レベルへと遷移する。
【００５２】
このとき、制御基板４４の制御回路４４Ａは、図１１に示した動作状態に対応づけ、Ｂ相出力端子ＴＢの信号レベルが“Ｈ”レベルの状態で、Ａ相出力端子ＴＡの信号レベルが“Ｌ”レベルから“Ｈ”レベルへと遷移（信号立上がり）したので、吸込グリル８が上昇方向に駆動されていると判別する。そして、制御回路４４Ａは図示しない昇降制御用カウンタのカウント値をカウントダウンさせることとなる。
【００５３】
続いてギア６５が回転し、図１０の時刻ｔ５（＝回転位置▲５▼）の状態になると、第２プラス電極９３Ｃとアース電極９３Ｂとは、非導通状態となり、等価的にスイッチ１０３Ｃが開状態（オフ状態）となる。この結果、Ｂ相出力端子ＴＢの信号レベルは、“Ｈ”レベルから“Ｌ”レベルへと遷移することとなる。
【００５４】
以下、同様にして、Ｂ相出力端子ＴＢの信号レベルが“Ｌ”レベルの状態で、Ａ相出力端子ＴＡの信号レベルが“Ｈ”レベルから“Ｌ”レベルへと遷移（信号立下がり）した場合及びＢ相出力端子ＴＢの信号レベルが“Ｈ”レベルの状態で、Ａ相出力端子ＴＡの信号レベルが“Ｌ”レベルから“Ｈ”レベルへと遷移（信号立上がり）した場合には、制御基板４４の制御回路４４Ａは、吸込グリル８が上昇方向に駆動されていると判別し、昇降制御用カウンタのカウント値をカウントダウンさせることとなる。
【００５５】
次に、吸込グリル８の下降時の動作を説明する。
【００５６】
ギア６５の矢印Ｘ方向とは逆方向への回転に伴って、例えば、図８中で、ブラシ９５が摺動し、ブラシ９５の先端９５Ａ〜９５Ｃの状態が回転位置▲５▼になったものとする。
【００５７】
これにより、第２プラス電極９３Ｃとアース電極９３Ｂとは、導通状態となり、等価的にスイッチ１０３Ｂが閉状態（オン状態）となる。この結果、図１２の時刻ｔ１１（＝回転位置▲５▼）に示すように、Ｂ相出力端子ＴＢの信号レベルは、“Ｌ”レベルから“Ｈ”レベルへと遷移する。
【００５８】
図１２の時刻ｔ１２（＝回転位置▲４▼）の状態になると、第１プラス電極９３Ａとアース電極９３Ｂとは、非導通状態となり、等価的にスイッチ１０３Ａが開状態（オフ状態）となる。この結果、Ａ相出力端子ＴＡの信号レベルは、“Ｈ”レベルから“Ｌ”レベルへと遷移することとなる。
【００５９】
このとき、制御基板４４の制御回路４４Ａは、図１１に示した動作状態に対応づけ、Ｂ相出力端子ＴＢの信号レベルが“Ｈ”レベルの状態で、Ａ相出力端子ＴＡの信号レベルが“Ｈ”レベルから“Ｌ”レベルへと遷移（信号立下がり）したので、吸込グリル８が下降方向に駆動されていると判別する。そして、制御回路４４Ａは図示しない昇降制御用カウンタのカウント値をカウントアップさせることとなる。
【００６０】
続いてギア６５が回転し、図１２の時刻ｔ１３（＝回転位置▲３▼）の状態になると、第２プラス電極９３Ｃとアース電極９３Ｂとは、非導通状態となり、等価的にスイッチ１０３Ｃが開状態（オフ状態）となる。この結果、Ｂ相出力端子ＴＢの信号レベルは、“Ｈ”レベルから“Ｌ”レベルへと遷移する。
【００６１】
さらにギア６５が回転し、図１２の時刻ｔ１４（＝回転位置▲２▼）の状態になると、第１プラス電極９３Ａとアース電極９３Ｂとは、導通状態となり、等価的にスイッチ１０３Ａが閉状態（オン状態）となる。この結果、Ａ相出力端子ＴＡの信号レベルは、“Ｌ”レベルから“Ｈ”レベルへと遷移する。
【００６２】
このとき、制御基板４４の制御回路４４Ａは、図１１に示した動作状態に対応づけ、Ｂ相出力端子ＴＢの信号レベルが“Ｌ”レベルの状態で、Ａ相出力端子ＴＡの信号レベルが“Ｌ”レベルから“Ｈ”レベルへと遷移（信号立上がり）したので、吸込グリル８が下降方向に駆動されていると判別する。そして、制御回路４４Ａは図示しない昇降制御用カウンタのカウント値をカウントアップさせることとなる。
【００６３】
続いてギア６５が回転し、図１０の時刻ｔ１５（＝回転位置▲１▼）の状態になると、第２プラス電極９３Ｃとアース電極９３Ｂとは、導通状態となり、等価的にスイッチ１０３Ｃが閉状態（オン状態）となる。この結果、Ｂ相出力端子ＴＢの信号レベルは、“Ｌ”レベルから“Ｈ”レベルへと遷移することとなる。
【００６４】
以下、同様にして、Ｂ相出力端子ＴＢの信号レベルが“Ｈ”レベルの状態で、Ａ相出力端子ＴＡの信号レベルが“Ｈ”レベルから“Ｌ”レベルへと遷移（信号立下がり）した場合及びＢ相出力端子ＴＢの信号レベルが“Ｌ”レベルの状態で、Ａ相出力端子ＴＡの信号レベルが“Ｌ”レベルから“Ｈ”レベルへと遷移（信号立上がり）した場合には、制御基板４４の制御回路４４Ａは、吸込グリル８が下降方向に駆動されていると判別し、昇降制御用カウンタのカウント値をカウントアップさせることとなる。
【００６５】
そして、上述の昇降制御用カウンタのカウント値に基づいて、制御基板４４の制御回路４４Ａは、ギア６５の回転量、ひいては、吸込グリル８の上下方向の位置を算出する。
【００６６】
ところで、図１０あるいは図１２に示したパルス波が、継続して出力されている間は、吊紐３１，３２が、繰り出し／巻き戻しされているということである。
【００６７】
この構成では、吊紐３１，３２が巻き戻される場合、毎回、ロータリーエンコーダ９１の零点が設定される。吊紐３１，３２が完全に巻き戻されて、吸込グリル８が化粧パネル７に当接すると、それ以上、モータ６１による駆動が不可能になって、ギア６５、並びにボビン７１，７２の回転が停止する。そうなると、ロータリーエンコーダ９１からはパルス波が出力されなくなるから、その時点が零点に設定される。
【００６８】
この零点が設定されたら、吊紐３１，３２の繰り出し時には、当該零点を基準として、何パルス分を繰り出したかにより、吊紐３１，３２の繰り出し量が制御され、吊紐３１，３２の巻き戻し時には、吊紐３１，３２の繰り出し量に相当するパルス数を基準として、何パルス分を巻き戻すかによって、吊紐３１，３２の巻き戻し量が制御される。
【００６９】
本実施形態では、吊紐を巻いたボビンを昇降ユニット４１内に収納し、この昇降ユニット４１の底板４５及び天板４６間に支持された軸の軸上に、ボビン７１，７２及び７３，７４を重ねて配置したため、昇降機構の薄型化、コンパクト化が図られると共に、昇降機構の取り付け作業としては、単一の昇降ユニット４１を化粧パネル７に固定するだけであるため、従来の昇降機構に比べて、極めて簡単に取り付けることができる。
【００７０】
吸込グリル８の一辺を４本の吊紐の内、２本の吊紐３１，３２で支持し、吸込グリル８の他辺を残りの２本の吊紐３３，３４で支持し、一辺を支持する２本の吊紐を巻いたボビン７１，７２同士を第一軸６５Ａ上に重ねて配置し、他辺を支持する残りの２本の吊紐を巻いたボビン７３，７４同士を第二軸（図示せず）上に重ねて配置したため、各軸を例えば線対称に配置することで、レイアウト的にも重量的にもバランスがとれたものとなる。
【００７１】
昇降ユニット４１の底板４５及び天板４６に、軸が嵌まるボス７７を一体的に形成したため、各軸の振れが抑制される。
【００７２】
ボビン７１〜７４に巻かれた吊紐３１〜３４を、昇降ユニット４１の外に案内する一対のローラ７５，７６を有し、一対のローラ７５，７６間に吊紐切れ検知手段８１を配置したため、吊紐３１〜３４の吊紐切れをほぼ確実に検知することができる等の効果が得られる。
【００７３】
以上の説明のように、本実施形態によれば、ボビンの回転状態ひいては吸込グリル８の昇降状態を容易かつ確実に把握することができる。
【００７４】
また、修理などにより交換の可能性の高い、可動部分には、構造の簡単なブラシ（可動電極）を設けるだけでよいので、交換の手間および交換コストを低減させることが可能となり、常に最良の状態に維持することが容易となる。
【００７５】
以上の説明においては、可動電極であるブラシ９５をボビンを直接駆動するギア６５に設ける構成としていたが、ボビンに設けたり、ボビンと同期して駆動される部材（共働して動作する一連のギア群を構成するギアなど）に設けるように構成することも可能である。
【００７６】
【発明の効果】
本発明によれば、簡易な構成で、吸込グリルの昇降制御を容易に行える。
【００７７】
さらに可動電極は、構造も簡単で取り付けも容易な構造とすることができ、メンテナンスが容易に行える。
【図面の簡単な説明】
【図１】本発明による天井埋込型空気調和機の一実施形態を示す縦断面図である。
【図２】同じく斜視図である。
【図３】Ａは筐体を示す平面図、Ｂは側面図である。
【図４】Ａは取り付け板を示す平面図、Ｂは側面図である。
【図５】第一機構を拡大して示す平面図である。
【図６】図５のＶＩ−ＶＩ断面図である。
【図７】吊紐切れ検知手段を模式的に示す斜視図である。
【図８】ロータリーエンコーダーを示す平面図である。
【図９】ロータリーエンコーダの等価回路図である。
【図１０】吸込グリル上昇時のロータリーエンコーダの出力パルス波形図である。
【図１１】吸込グリルの動作状態判別の説明図である。
【図１２】吸込グリルの下降時のロータリーエンコーダの出力パルス波形図である。
【符号の説明】
１  天井埋込型空気調和機
７  化粧パネル
８  吸込グリル
３１〜３４  吊紐
４１  筐体（昇降ユニット）
４２  第一機構
４３  第二機構
４４  制御基板
４４Ａ  制御回路（昇降状態判別部）
４５  本体（底板）
４６  蓋体（天板）
７１〜７４  ボビン
７５，７６  ローラ
７７  ボス
８１  吊紐切れ検知手段
８２，８３  板体
８４，８５  リミットスイッチ（スイッチ）
９１  ロータリーエンコーダ
９３  電極パターン（固定電極部）
９３Ａ  第１プラス電極
９３Ｂ  アース電極
９３Ｃ  第２プラス電極
９５  ブラシ（可動電極部）
１０１Ａ  第１直流電源（電源）
１０１Ｂ  第２直流電源（電源）
１０２Ａ  第１電圧検出用抵抗
１０２Ｂ  第２電圧検出用抵抗
【図１】
2004150714.tif 000003
【図２】
2004150714.tif 000004
【図３】
2004150714.tif 000005
【図４】
2004150714.tif 000006
【図５】
2004150714.tif 000007
【図６】
2004150714.tif 000008
【図７】
2004150714.tif 000009
【図８】
2004150714.tif 000010
【図９】
2004150714.tif 000011
【図１０】
2004150714.tif 000012
【図１１】
2004150714.tif 000013
【図１２】
2004150714.tif 000014